(57)【要約】      （修正有）【課題】自力で使用人が使用を希望する場所に移動出来るトイレ用車椅子補助具を提供する。【解決手段】キャスタ１３を有する左右の下部フレーム１２と、下部フレーム１２の四隅に立設する上下動自在支持柱体１４と、上下動自在支持柱体１４の頂部に前面に向かってやや傾斜して配設され中央部に開口孔２と貫通孔を有する座接用板材３と、座接用板材３の上面に着脱可能に搭載され中央部に使用目的に対応する開口孔２を形成する板材１と、板材１に尻部を乗せて使用する使用人の肘部を保持する保持板１５及び安全に保持するための手持ちハンドル１６と背当て部１８を有する車椅子補助具１００であって、座接用板材３の貫通孔と板材１の開口孔２が使用人の尻部の一部が嵌り込んで便器の便座に押圧力を与える形状のものからなり、上下動自在支持柱体１４が各種形状のトイレに対して尻部がそのトイレの便座を押圧出来る位置に来るべく高さを調整する。【選択図】図１
0003221335.tif 000002
【実用新案登録請求の範囲】
【請求項１】
キャスタを有する左右の下部フレームとその四隅に立設する上下動自在支持柱体とこの頂部に前面に向かってやや傾斜して配設され中央部に下記板材の開口孔と貫通孔を有する座接用板材とこの上面に着脱可能に搭載され、その中央部に使用目的に対応する開口孔を形成する板材とこの板材に尻部を乗せて使用する使用人の肘部を保持する保持体と安全保持するための手持ちハンドルと背当て部等を有する車椅子補助具であって、該車椅子補助具がトイレ用に使用される場合において前記座接用板材の貫通孔と前記板材の開口孔が使用人の尻部の一部が嵌り込んで便器の便座に押圧力を与える形状のものからなり、前記上下動自在支持柱体が各種形状のトイレに対して前記尻部がそのトイレの便座を押圧出来る位置に来るべく高さを調整するものからなることを特徴とするトイレ用車椅子補助具。
【考案の詳細な説明】
【技術分野】
【０００１】  本考案は自力で移動出来る車椅子補助具に関するものであり、特にトイレ使用時において便利に使用されるトイレ用車椅子補助具に関する。
【背景技術】
【０００２】  自力で移動出来る車椅子的の介護用補助具としては各種の形態のものが存在するが類似するものとして「特許文献１」や同一出願人による「特許文献２」等がある。
【先行技術文献】
【特許文献】
【０００３】
【特許文献１】実用新案登録第３２０９１８６号（図１）
【特許文献２】実用新案登録第３２１７１８５号（図１）    「特許文献１」の「実用新案登録第３２０９１８６号」の「多機能在宅介護用補助機」はキャスタ付の下部枠体と該下部枠体のほぼ中間位置から立ち上がる摺動支持棒体と、この上部に水平方向に向かって配置される上部棒体と前記摺動支持棒体の中間部に水平に張り出して固定され貫通孔を有する柱体と、背当て用部材等を有するものからなり、「特許文献２」と類似する点もあるが「特許文献２」は横開きが可能でベッドや車椅子等からの移動が容易に出来、手持ちハンドルや背当て部があり安全であり全体がコンパクトに形成されている点で大きく相違するものである。
また、「特許文献２」は本考案とほぼ同一のものからなるが本考案はトイレ用としてその使用を明細にすべくその構造を明らかにしたものであり、本考案とは別の考案と言える。
【考案の概要】
【考案が解決しようとする課題】
【０００４】  本考案は「特許文献２」にもあるように介護用の車椅子状の補助機としてベッドや車椅子からの移乗が容易であり、安全性があるものであるが特に色々の種類のトイレに対して便利に使用出来る内容のものとした点において「特許文献２」とは相違するものと思料し出願したものである。【０００５】  本考案は「特許文献２」の特徴を有するものであると共に特に使用頻度の高いトイレ用として使用性の確実化を考慮したものであり、各種のトイレ（特にウォシュレット付のトイレ）に対して便利に使用される車椅子補助具を提供することを目的とするものである。
【課題を解決するための手段】
【０００６】  本考案は以上の目的を達成するために請求項１の考案は、キャスタを有する左右の下部フレームとその四隅に立設する上下動自在支持柱体とこの頂部に前面に向かってやや傾斜して配設され中央部に下記板材の開口孔と貫通孔を有する座接用板材とこの上面に着脱可能に搭載され、その中央部に使用目的に対応する開口孔を形成する板材とこの板材に尻部を乗せて使用する使用人の肘部を保持する保持体と安全保持するための手持ちハンドルと背当て部等を有する車椅子補助具であって、該車椅子補助具がトイレ用に使用される場合において前記座接用板材の貫通孔と前記板材の開口孔が使用人の尻部の一部が嵌り込んで便器の便座に押圧力を与える形状のものからなり、前記上下動自在支持柱体が各種形状のトイレに対して前記尻部がそのトイレの便座を押圧出来る位置に来るべく高さを調整するものからなることを特徴とする。
【考案の効果】
【０００７】  本考案の請求項１のトイレ用車椅子補助具によれば、「特許文献２」に示した効果を有すると共に座接用板材の貫通孔や板材の開口孔の形状を特に明記し、使用人の尻部の嵌り込みにより便器を確実に押圧出来る位置に板材等を移動出来るように構成され、「特許文献２」よりも一層の効果を上げることが出来るものとした。なお、本考案はトイレ用としたが座接用板材の貫通孔や板材の開口孔は各種形状のものにすることが出来、他の用途に対応して可変に形成することが出来るものであり、本考案の考え方は広範囲の用途に適用されるものである。
【図面の簡単な説明】
【０００８】
【図１】  本考案の全体構造を示す斜視図。
【図２】  図１の下面図であるが座接用板材の貫通孔と板材の開口孔を明記するための下面図。
【図３】  本考案のトイレ使用時の状態を説明するための模式図。
【図４】  ウォシュレット付のトイレの全体構造を示す斜視図。
【考案を実施するための形態】
【０００９】  以下、本考案のトイレ用車椅子補助具の実施の形態を図面を参照して詳述する。
【００１０】  まず、車椅子補助具１００の全体構造の概要を説明する。なお、この構造の詳細は「特許文献２」に明記されており、詳細構造の説明は省略する。左右の水平方向に伸延している下部フレーム１２はキャスタ１３により支持される。下部フレーム１２の下方の四隅には上下動自在支持柱体１４が立設にて配置される。なお、この上下動自在支持柱体１４は下部にあるナット１４ａを作動させることに上下動すべく構成されている。
上下動自在支持柱体１４の頂部には座接用板材３が設けられその上面には板材１が搭載されている。本考案の場合、図２に示すように座接用板材３の貫通孔４と板材１の開口孔２とはほぼ同一のものからなり後方の円弧が前方より大きいダルマ状のものからなる。また、本考案では座接用板材３と板材１はやや前倒しの傾斜状に配置されている。
また、詳細説明は省略するが板材１の上方には使用人の安全性を保持するための肘部を保持する保持体１５や手持ちハンドル１６や左右の手持ちハンドル１６，１６間に配置される安全保持棒１７や使用人の背面を保持する背当て部１８等が設けられている。また、本考案では左右の一方側の保持体１５や手持ちハンドル１６は横倒し出来る構造のものからなり使用人が横乗り可能に形成されている。
【００１１】  また、図１は本考案の車椅子補助具１００が便器カバ７を開いた便器６の便座５の上に座接用板材３を乗せた状態を示すものである。なお、図４はウォシュレット付の便器６を示すもので、便器本体８の上縁部９に便座５を開閉自在に配置するものであり、便座５が上縁部９を押圧するとウォシュレットが作動するように構成されている。なお、この構造は公知のものであり説明を省略する。
【００１２】  次に、本考案の車椅子補助具１００をトイレに使用した状態を図３に示す。
前記したように車椅子補助具１００の座接用板材３が便器６の便座５に当接位置まで位置決めする。便器６も各種のものがあり、この高さの調整は上下動自在支持柱体１４により行う。この状態で使用人１０が板材１の開口孔２上に尻部１１を乗せて使用状態にすると板材１及び座接用板材３が便器６の便座５を押圧し、便座５が便器本体８の上縁部９を押圧する。これによりウォシュレットが作動可能になり、作動スイッチ（図略）をＯＮにすることにより洗浄水が尻部１１を洗浄することになる。
【００１３】  本考案は以上の説明の内容からなるが同一技術範疇のものが適用されることは勿論である。また、本考案の車椅子補助具１００はトイレを使用する場合について述べたが他の用途にも適用されることは勿論である。
【産業上の利用可能性】
【００１４】  本考案の車椅子補助具は使用頻度の高いトイレのみに使用されるものでなく、使用人が希望する用途に対応して使用可能であり、その利用範囲は極めて広い。
【符号の説明】
【００１５】１      板材
２      開口孔
３      座接用板材
４      貫通孔
５      便座
６      便器
７      便座カバ
８      便器本体
９      上縁部
１０    使用人
１１    尻部
１２    下部フレーム
１３    キャスタ
１４    上下動自在支持柱体
１４ａ  ナット
１５    保持体
１６    手持ちハンドル
１７    安全保護棒
１８    背当て部
１００  車椅子補助具
【図１】
0003221335.tif 000003
【図２】
0003221335.tif 000004
【図３】
0003221335.tif 000005
【図４】
0003221335.tif 000006
【手続補正書】
【提出日】平成31年2月21日(2019.2.21)
【手続補正１】
【補正対象書類名】実用新案登録請求の範囲
【補正対象項目名】請求項１
【補正方法】変更
【補正の内容】
【請求項１】
キャスタを有する左右の下部フレームと該下部フレームの四隅に立設する上下動自在支持柱体と該上下動自在支持柱体の頂部に前面に向かってやや傾斜して配設され中央部に下記板材の開口孔と貫通孔を有する座接用板材と該座接用板材の上面に着脱可能に搭載され中央部に使用目的に対応する開口孔を形成する板材と該板材に尻部を乗せて使用する使用人の肘部を保持する保持板及び安全に保持するための手持ちハンドルと背当て部を有する車椅子補助具であって、該車椅子補助具がトイレ用に使用される場合において前記座接用板材の貫通孔と前記板材の開口孔が使用人の尻部の一部が嵌り込んで便器の便座に押圧力を与える形状のものからなり、前記上下動自在支持柱体が各種形状のトイレに対して前記尻部がそのトイレの便座を押圧出来る位置に来るべく高さを調整するものからなることを特徴とするトイレ用車椅子補助具。
【手続補正２】
【補正対象書類名】明細書
【補正対象項目名】０００６
【補正方法】変更
【補正の内容】
【０００６】  本考案は以上の目的を達成するために請求項１の考案は、キャスタを有する左右の下部フレームと該下部フレームの四隅に立設する上下動自在支持柱体と該上下動自在支持柱体の頂部に前面に向かってやや傾斜して配設され中央部に下記板材の開口孔と貫通孔を有する座接用板材と該座接用板材の上面に着脱可能に搭載され中央部に使用目的に対応する開口孔を形成する板材と該板材に尻部を乗せて使用する使用人の肘部を保持する保持板及び安全に保持するための手持ちハンドルと背当て部を有する車椅子補助具であって、該車椅子補助具がトイレ用に使用される場合において前記座接用板材の貫通孔と前記板材の開口孔が使用人の尻部の一部が嵌り込んで便器の便座に押圧力を与える形状のものからなり、前記上下動自在支持柱体が各種形状のトイレに対して前記尻部がそのトイレの便座を押圧出来る位置に来るべく高さを調整するものからなることを特徴とする。
【手続補正３】
【補正対象書類名】明細書
【補正対象項目名】００１０
【補正方法】変更
【補正の内容】
【００１０】  まず、車椅子補助具１００の全体構造の概要を説明する。なお、この構造の詳細は「特許文献２」に明記されており、詳細構造の説明は省略する。左右の水平方向に伸延している下部フレーム１２はキャスタ１３により支持される。下部フレーム１２の下方の四隅には上下動自在支持柱体１４が立設にて配置される。なお、この上下動自在支持柱体１４は下部にあるナット１４ａを作動させることに上下動すべく構成されている。
上下動自在支持柱体１４の頂部には座接用板材３が設けられその上面には板材１が搭載されている。本考案の場合、図２に示すように座接用板材３の貫通孔４と板材１の開口孔２とはほぼ同一のものからなり後方の円弧が前方より大きいダルマ状のものからなる。また、本考案では座接用板材３と板材１はやや前倒しの傾斜状に配置されている。
また、詳細説明は省略するが板材１の上方には使用人の安全性を保持するための肘部を保持する保持体１５や手持ちハンドル１６や左右の手持ちハンドル１６，１６間に配置される安全保持棒１７や使用人の背面を保持する背当て部１８が設けられている。また、本考案では左右の一方側の保持体１５や手持ちハンドル１６は横倒し出来る構造のものからなり使用人が横乗り可能に形成されている。